(57)【要約】【課題】視聴制限を解除するために、ユーザに極力負担をかけず、かつ、ユーザによってチャンネルが切り替えられる場合に、極力時間を要さずにチャンネルの切り替え動作を行うことが可能な受信装置を提供する。【解決手段】この受信装置（テレビジョン装置１）は、チューナユニット９と、デコーダ３０を接続するための接続部１０と、チューナユニット９が周波数を順次変更させながらチューニングを行うことによって、所定の周波数に対応するチャンネルが順次設定されるチャンネル設定時において、スクランブル処理されたテレビジョン放送信号を受信した場合に、スクランブル処理されたテレビジョン放送信号に対するデコーダ３０の動作状態に基づいて、スクランブル処理されたテレビジョン放送信号をデコーダ３０によって視聴可能とするか否かを設定する制御部７とを備えている。【選択図】図２
2009049767.tif 000002
【特許請求の範囲】
【請求項１】
テレビジョン放送信号を受信する受信部と、
前記テレビジョン放送信号のうち、視聴制限されたテレビジョン放送信号を視聴可能にする視聴制限解除装置を接続するための接続部と、
前記受信部が周波数を順次変更させながらチューニングを行うことによって、所定の周波数に対応するチャンネルが順次設定されるチャンネル設定時において、前記受信部が視聴制限された所定のチャンネルに対応するテレビジョン放送信号を受信した場合に、視聴制限された所定のチャンネルに対応する前記テレビジョン放送信号に対する前記視聴制限解除装置の動作状態に基づいて、視聴制限された所定のチャンネルに対応する前記テレビジョン放送信号を前記視聴制限解除装置によって視聴可能とするか否かを設定する制御部とを備える、受信装置。
【請求項２】
前記接続部は、視聴制限された所定のチャンネルに対応する前記テレビジョン放送信号のうち、前記視聴制限解除装置によって視聴可能とすることができるテレビジョン放送信号に対する前記視聴制限解除装置の動作状態を表す第１の信号と、前記視聴制限解除装置によって視聴可能とすることができないテレビジョン放送信号に対する前記視聴制限解除装置の動作状態を表す第２の信号とを受信することが可能なように構成され、
前記制御部は、前記受信部が視聴制限された所定のチャンネルに対応する前記テレビジョン放送信号を受信した場合に、前記接続部が受信する前記第１の信号および前記第２の信号に基づいて、視聴制限された所定のチャンネルに対応する前記テレビジョン放送信号を前記視聴制限解除装置によって視聴可能とするか否かを設定するように構成されている、請求項１に記載の受信装置。
【請求項３】
前記制御部は、前記受信部が視聴制限された所定のチャンネルに対応する前記テレビジョン放送信号を受信した場合に、視聴制限された所定のチャンネルに対応する前記テレビジョン放送信号に対する前記視聴制限解除装置の動作状態に基づいて、視聴制限された所定のチャンネルに対応する前記テレビジョン放送信号を前記視聴制限解除装置によって視聴可能とするか否かをチャンネル情報として設定するとともに、前記チャンネル情報に基づいて、前記視聴制限解除装置によって視聴可能とするように設定されたテレビジョン放送信号を前記視聴制限解除装置に送信し、前記視聴制限解除装置によって視聴可能としないように設定されたテレビジョン放送信号を前記視聴制限解除装置に送信しないように構成されている、請求項１または２に記載の受信装置。
【請求項４】
前記制御部によって設定された前記チャンネル情報は、ユーザが任意に変更可能なように構成されている、請求項３に記載の受信装置。
【請求項５】
前記視聴制限解除装置の動作状態を判断するために、前記制御部は、前記チャンネル設定時において、前記受信部によりチューニングされた所定のチャンネル毎に前記視聴制限解除装置への前記所定のチャンネルに対応するテレビジョン放送信号の送信の開始および送信の終了を行うように前記受信部を制御するように構成されている、請求項１〜４のいずれか１項に記載の受信装置。
【発明の詳細な説明】
【技術分野】
【０００１】
この発明は、受信装置に関し、特に、視聴制限解除装置を接続するための接続部を備えた受信装置に関する。
【背景技術】
【０００２】
従来、視聴制限解除装置を接続するための接続部を備えた受信装置などの電子機器が知られている（たとえば、特許文献１〜３参照）。
【０００３】
上記特許文献１に記載の受信装置は、スクランブル（視聴制限）を解除するためのデコーダ（視聴制限解除装置）を接続するための入出力端子（接続部）と、テレビに放送信号を出力するためのテレビ側出力端子と、チューナ本体と、チューナ本体が受信した放送信号をデコーダを介さずにテレビに出力するか、または、チューナ本体が受信した放送信号をデコーダを介してテレビに出力するかを切り替えることが可能な可動接点と、チューナ本体により受信された放送信号をデコーダにより視聴可能とするか否かを判断することが可能な制御部とを備えている。また、この受信装置では、チューナ本体が放送信号を受信した際に、受信された放送信号をデコーダにより視聴可能とするか否かが制御部によって判断され、視聴可能とする場合には、受信されたスクランブル信号がデコーダを介してテレビに出力されるように可動接点が切り替えられるように構成されている。
【０００４】
上記特許文献２に記載の衛星放送受信機は、スクランブルデコーダ（視聴制限解除装置）を接続するための入出力端子（接続部）と、テレビ受像機に衛星放送の信号を出力するための出力端子と、装置本体と、受信された衛星放送の信号をスクランブルデコーダを介さずにテレビ受像機に出力するか、または、受信された衛星放送の信号をスクランブルデコーダを介してテレビ受像機に出力するかを切り替えることが可能なスイッチと、受信された衛星放送の信号がスクランブル放送信号であるか否かを判断することが可能な制御部とを備えている。また、この衛星放送受信機では、衛星放送の信号が受信された際に、受信された衛星放送の信号がスクランブル放送信号であるか否かが制御部によって判断され、スクランブル放送信号である場合には、受信されたスクランブル放送信号がスクランブルデコーダを介してテレビ受像機に出力されるようにスイッチが切り替えられるように構成されている。
【０００５】
上記特許文献３に記載のビデオカセットレコーダは、スクランブル（視聴制限）を解除するためのデコーダ（視聴制限解除装置）を接続するための外部機器側スカートコネクタ（接続部）と、テレビ受像機を接続するためのテレビ側スカートコネクタと、映像／音声信号を受信するチューナとを備えている。また、このビデオカセットレコーダでは、消費電力を少なくするために、テレビ側スカートコネクタを介して受信される信号レベルに基づいて、所定の回路への動作電源の供給が調整されるように構成されている。
【０００６】
【特許文献１】特開平８−３２９５３号公報
【特許文献２】実開平５−７００８５号公報
【特許文献３】実用新案登録第３０９２１６８号公報
【発明の開示】
【発明が解決しようとする課題】
【０００７】
しかしながら、上記特許文献１の受信装置では、チューナ本体が放送信号を受信した際に、受信された放送信号をデコーダにより視聴可能とするか否かが制御部によって判断される構成であるので、制御部は、ユーザによってチャンネルが切り替えられる度に、受信された放送信号をデコーダにより視聴可能とするか否かを判断する必要がある。このため、ユーザによってチャンネルが切り替えられる場合に、制御部が受信された放送信号をデコーダにより視聴可能とするか否かを判断しない場合に比べて、制御部による判断のための時間を要するので、チャンネルの切り替え動作に時間がかかるという問題点がある。
【０００８】
また、上記特許文献２の衛星放送受信機では、衛星放送の信号が受信された際に、受信された放送信号がスクランブル放送信号であるか否かが制御部によって判断されるので、制御部は、ユーザによってチャンネルが切り替えられる度に、受信された衛星放送の信号がスクランブル放送信号であるか否かを判断する必要がある。このため、ユーザによってチャンネルが切り替えられる場合に、受信された衛星放送の信号がスクランブル放送信号であるか否かを制御部が判断しない場合に比べて、制御部による判断のための時間を要するので、チャンネルの切り替え動作に時間がかかるという問題点がある。
【０００９】
また、上記特許文献３のビデオカセットレコーダでは、所定の回路への動作電源の供給を調整することによって、消費電力を少なくすることが可能であるが、上記特許文献３には、チューナがスクランブルのかかった信号を受信した場合に、スクランブルのかかった信号をデコーダに送信する手段については記載されていない。したがって、チューナがスクランブルのかかった信号を受信した場合には、スクランブルのかかった信号がデコーダに送信されるように、ユーザ自らが設定、または、信号経路の切り替えを行う必要があると考えられる。その結果、スクランブルを解除するために、ユーザに負担がかかるという問題点がある。
【００１０】
この発明は、上記のような課題を解決するためになされたものであり、この発明の１つの目的は、視聴制限を解除するために、ユーザに極力負担をかけず、かつ、ユーザによってチャンネルが切り替えられる場合に、極力時間を要さずにチャンネルの切り替え動作を行うことが可能な受信装置を提供することである。
【課題を解決するための手段および発明の効果】
【００１１】
この発明の一の局面による受信装置は、テレビジョン放送信号を受信する受信部と、テレビジョン放送信号のうち、視聴制限されたテレビジョン放送信号を視聴可能にする視聴制限解除装置を接続するための接続部と、受信部が周波数を順次変更させながらチューニングを行うことによって、所定の周波数に対応するチャンネルが順次設定されるチャンネル設定時において、受信部が視聴制限された所定のチャンネルに対応するテレビジョン放送信号を受信した場合に、視聴制限された所定のチャンネルに対応するテレビジョン放送信号に対する視聴制限解除装置の動作状態に基づいて、視聴制限された所定のチャンネルに対応するテレビジョン放送信号を視聴制限解除装置によって視聴可能とするか否かを設定する制御部とを備えている。
【００１２】
この一の局面による受信装置では、上記のように、受信部が周波数を順次変更させながらチューニングを行うことによって、所定の周波数に対応するチャンネルが順次設定されるチャンネル設定時において、受信部が視聴制限された所定のチャンネルに対応するテレビジョン放送信号を受信した場合に、視聴制限された所定のチャンネルに対応するテレビジョン放送信号に対する視聴制限解除装置の動作状態に基づいて、視聴制限された所定のチャンネルに対応するテレビジョン放送信号を視聴制限解除装置によって視聴可能とするか否かを設定する制御部を設けることによって、ユーザが自ら設定を行うことなく、視聴制限された所定のチャンネルに対応するテレビジョン放送信号を視聴制限解除装置により視聴可能とするか否かが制御部によって設定されるので、視聴制限を解除するために、ユーザに負担がかからない。また、視聴制限された所定のチャンネルに対応するテレビジョン放送信号を視聴制限解除装置によって視聴可能とするか否かを、購入後最初に使用する場合などに行われるチャンネル設定（オートプリセット）と合わせて設定することができるので、それ以降、制御部が視聴制限解除装置によって視聴可能とするか否かを判断する必要がない。このため、チャンネル設定が行われた後、ユーザによってチャンネルが切り替えられる度に、制御部が受信されたテレビジョン放送信号を視聴制限解除装置により視聴可能とするか否かを判断する場合に比べて、制御部による判断のための時間を要しないので、チャンネルの切り替え動作にかかる時間を短くすることができる。その結果、この受信装置では、視聴制限を解除するために、ユーザに極力負担をかけず、かつ、ユーザによってチャンネルが切り替えられる場合に、極力時間を要さずにチャンネルの切り替え動作を行うことができる。
【００１３】
上記一の局面による受信装置において、好ましくは、接続部は、視聴制限された所定のチャンネルに対応するテレビジョン放送信号のうち、視聴制限解除装置によって視聴可能とすることができるテレビジョン放送信号に対する視聴制限解除装置の動作状態を表す第１の信号と、視聴制限解除装置によって視聴可能とすることができないテレビジョン放送信号に対する視聴制限解除装置の動作状態を表す第２の信号とを受信することが可能なように構成され、制御部は、受信部が視聴制限された所定のチャンネルに対応するテレビジョン放送信号を受信した場合に、接続部が受信する第１の信号および第２の信号に基づいて、視聴制限された所定のチャンネルに対応するテレビジョン放送信号を視聴制限解除装置によって視聴可能とするか否かを設定するように構成されている。このように構成すれば、制御部は、接続部が受信する第１の信号および第２の信号の２つの信号を判別するだけで、容易に、視聴制限された所定のチャンネルに対応するテレビジョン放送信号に対する視聴制限解除装置の動作状態を判断することができる。
【００１４】
上記一の局面による受信装置において、好ましくは、制御部は、受信部が視聴制限された所定のチャンネルに対応するテレビジョン放送信号を受信した場合に、視聴制限された所定のチャンネルに対応するテレビジョン放送信号に対する視聴制限解除装置の動作状態に基づいて、視聴制限された所定のチャンネルに対応するテレビジョン放送信号を視聴制限解除装置によって視聴可能とするか否かをチャンネル情報として設定するとともに、チャンネル情報に基づいて、視聴制限解除装置によって視聴可能とするように設定されたテレビジョン放送信号を視聴制限解除装置に送信し、視聴制限解除装置によって視聴可能としないように設定されたテレビジョン放送信号を視聴制限解除装置に送信しないように構成されている。このように構成すれば、視聴制限解除装置により視聴可能とするように設定されたテレビジョン放送信号のみが制御部によって視聴制限解除装置に送信されるので、ユーザが視聴制限解除装置に送信するか否かを選択する必要がなく、その結果、ユーザの負担をより小さくすることができる。
【００１５】
この場合、好ましくは、制御部によって設定されたチャンネル情報は、ユーザが任意に変更可能なように構成されている。このように構成すれば、視聴制限解除装置によって視聴可能にするように、または、視聴可能にしないように設定された所定のチャンネルに対応するテレビジョン放送信号であっても、ユーザが、それぞれ、視聴可能にしないように、または、視聴可能にするように設定し直すことができる。
【００１６】
上記一の局面による受信装置において、好ましくは、視聴制限解除装置の動作状態を判断するために、制御部は、チャンネル設定時において、受信部によりチューニングされた所定のチャンネル毎に視聴制限解除装置への所定のチャンネルに対応するテレビジョン放送信号の送信の開始および送信の終了を行うように受信部を制御するように構成されている。このように構成すれば、視聴制限された所定のチャンネルに対応するテレビジョン放送信号が視聴制限解除装置へ送信されることによって、送信されたテレビジョン放送信号が一時的に視聴可能にされた後、すぐに視聴制限解除装置へのテレビジョン放送信号の送信が終了されるので、視聴制限された所定のチャンネルに対応するテレビジョン放送信号を極力視聴できない状態にしておくことができる。
【発明を実施するための最良の形態】
【００１７】
以下、本発明を具体化した実施形態を図面に基づいて説明する。
【００１８】
（第１実施形態）
図１は、本発明の第１実施形態によるテレビジョン装置の構成を説明するための全体構成図である。図２は、図１に示したテレビジョン装置の構成を説明するためのブロック図である。また、図３〜図４は、図１に示したテレビジョン装置の詳細な構成を説明するための図である。まず、図１〜図４を参照して、本発明の第１実施形態によるテレビジョン装置１の構成について説明する。なお、第１実施形態では、受信装置の一例であるテレビジョン装置１に本発明を適用した場合について説明する。
【００１９】
図１に示すように、テレビジョン装置１は、テレビジョン放送信号を受信するテレビアンテナ２０に接続されるとともに、テレビジョン放送信号のうち、スクランブル処理されたテレビジョン放送信号のスクランブルを解除するための外付けのデコーダ３０にケーブル４０によって接続されている。なお、デコーダ３０は、本発明の「視聴制限解除装置」の一例である。
【００２０】
図２に示すように、テレビジョン装置１は、テレビジョン装置１の電源をオン状態からオフ状態、または、オフ状態からオン状態に切り替えるための電源部２と、パーソナルコンピュータ５０やＤＶＤプレーヤ６０などの外部機器と接続される複数の端子３ａを含む外部入力基板３と、ＬＣＤ（Ｌｉｑｕｉｄ  Ｃｒｙｓｔａｌ  Ｄｉｓｐｌａｙ）からなる表示部４と、複数の信号から特定の信号を選択して表示部４に出力するＡＶスイッチ５と、ボリュームの変更、チャンネルの選択、および、設定の変更などを行うための複数のボタン６ａを有する入力部６と、テレビジョン装置１の各部の制御を行う制御部７とを備えている。また、入力部６は、リモコン７０からの信号を受信する受信部６ｂを含んでいる。このリモコン７０によっても、上記ボリュームの変更、チャンネルの選択を行うことが可能である。この入力部６またはリモコン７０による信号は、制御部７に入力され、制御部７は、その信号に基づいて、所定の処理を行うようにテレビジョン装置１の各部を制御するように構成されている。また、入力部６およびリモコン７０は、後述するＥＥＰＲＯＭ８のチャンネルリスト記憶領域８ａに記憶されたチャンネルリストデータに基づいて、ユーザが選択したチャンネルを選局するように構成されている。
【００２１】
また、テレビジョン装置１は、テレビジョン放送信号を、テレビアンテナ２０を介して受信するチューナユニット９と、外付けのデコーダ３０を接続するためのケーブル４０が接続される接続部１０と、ＲＯＭ１１とをさらに備えている。なお、チューナユニット９は、本発明の「受信部」の一例である。
【００２２】
また、表示部４は、ＡＶスイッチ５から入力されたテレビジョン放送信号および外部機器からの信号に基づく映像を表示するように構成されている。
【００２３】
また、ＡＶスイッチ５は、チューナユニット９および外部入力基板３から入力される複数の信号から特定の信号を選択するように、制御部７によって制御される。
【００２４】
また、制御部７は、ＥＥＰＲＯＭ８の設定情報記憶領域８ｂに記憶された各種設定情報、および、ＲＯＭ１１に記憶されたプログラムに従ってテレビジョン装置１の制御を行うように構成されている。各種設定情報には、たとえば、表示部４における表示に関する設定などが含まれる。具体的には、キャプション（字幕）の設定、および、言語の設定などである。これらの設定情報は、工場出荷時においては、テレビジョン装置１の標準的な使用態様に対応する設定状態（初期設定状態）に設定されている。また、ＥＥＰＲＯＭ８は、データの書込および消去が可能であり、入力部６などによりユーザが設定情報を変更する毎に、変更後の設定情報がＥＥＰＲＯＭ８に書き込まれる。
【００２５】
チューナユニット９は、購入後最初に使用する場合などに行われるオートプリセット機能によって、所定地域において視聴可能なチャンネルのテレビジョン放送信号を検出し、チャンネル設定を行うように構成されている。具体的には、チューナユニット９は、受信する周波数を所定の上限周波数まで順次上げていきながらチューニングを行うことによって、映像／音声信号が含まれる所定の周波数に対応するチャンネルを設定するように構成されている。この際、図３に示す一例のように、設定されたチャンネルに対応する周波数が、チャンネル情報であるチャンネルリストデータとして、ＥＥＰＲＯＭ８のチャンネルリスト記憶領域８ａに記憶される。
【００２６】
ここで、第１実施形態では、上記したオートプリセット機能によるチャンネル設定時に、チューナユニット９がスクランブル処理された所定のチャンネルに対応するテレビジョン放送信号を受信した場合には、スクランブル処理された所定のチャンネルに対応するテレビジョン放送信号に対するデコーダ３０の動作状態に基づいて、スクランブル処理された所定のチャンネルに対応するテレビジョン放送信号をデコーダ３０によって視聴可能とするか否かが制御部７によって設定されるように構成されている。次に、上記した制御部７による設定動作について詳細に説明する。
【００２７】
オートプリセット機能によるチャンネル設定時において、チューナユニット９が所定のチャンネルに対応するテレビジョン放送信号を受信した場合に、所定のチャンネルに対応するテレビジョン放送信号が制御部７によって接続部１０からデコーダ３０に送信される。この際、デコーダ３０がスクランブル解除することが可能なテレビジョン放送信号を接続部１０から受信した場合に、デコーダ３０がスクランブル解除動作を行うことによって、たとえば、デコーダ３０が動作していることを表すＨ信号がデコーダ３０側から接続部１０に到達されるとともに、デコーダ３０がスクランブル解除することができないテレビジョン放送信号を接続部１０から受信した場合に、デコーダ３０がスクランブル解除動作を行わないことによって、たとえば、デコーダ３０が動作していないことを表すＬ信号がデコーダ３０側から接続部１０に到達される。ここで、デコーダ３０がスクランブル解除することが可能なテレビジョン放送信号とは、スクランブル処理された所定のチャンネルに対応するテレビジョン放送信号のうち、ユーザが有料チャンネルの契約などをすることによって、ユーザがスクランブル解除することを許可された所定のチャンネルに対応するテレビジョン放送信号である。また、デコーダ３０がスクランブル解除することができないテレビジョン放送信号とは、ユーザがスクランブル解除することを許可されていない、または、スクランブル処理されていない所定のチャンネルに対応するテレビジョン放送信号である。また、外部機器であるデコーダ３０が動作していることを表すＨ信号、および、デコーダ３０が動作していないことを表すＬ信号を伝達することが可能なケーブル４０として、たとえば、ヨーロッパ規格の１つであるＣｅｎｅｌｉｃ規格によるＳＣＡＲＴケーブルがある。ＳＣＡＲＴケーブルは、スロースイッチ機能によって、装置本体に接続された外部機器が動作していることを表すＨ信号、および、外部機器が動作していないことを表すＬ信号を伝達することが可能である。なお、Ｈ信号は、本発明の「第１の信号」の一例であり、Ｌ信号は、本発明の「第２の信号」の一例である。
【００２８】
上記したデコーダ３０がスクランブル解除することができる所定のチャンネルに対応するテレビジョン放送信号に対するデコーダ３０の動作状態を表すＨ信号、および、デコーダ３０がスクランブル解除することができないテレビジョン放送信号に対するデコーダ３０の動作状態を表すＬ信号に基づいて、スクランブル処理された所定のチャンネルに対応するテレビジョン放送信号をデコーダ３０によりスクランブル解除するか否かが制御部７によってチャンネル情報として設定される。具体的には、制御部７は、オートプリセット機能によるチャンネル設定時において、接続部１０がＨ信号を受信した場合に、ＥＥＰＲＯＭ８のチャンネルリスト記憶領域８ａに記憶されたチャンネルリストデータ（図３参照）のデコーダ接続設定をオン状態に設定するように構成されている。なお、チャンネルリストデータのデコーダ接続設定は、デフォルト値がオフ状態に設定されているため、オートプリセット機能によるチャンネル設定時において、接続部１０がＬ信号を受信した場合には、デコーダ接続設定は、オフ状態のまま維持される。
【００２９】
また、第１実施形態では、制御部７は、チャンネルリスト記憶領域８ａに記憶されたチャンネルリストデータのデコーダ接続設定に基づいて、デコーダ３０によってスクランブル解除するように設定されたテレビジョン放送信号を接続部１０からデコーダ３０に送信し、デコーダ３０によってスクランブル解除しないように設定されたテレビジョン放送信号をデコーダ３０に送信しないように構成されている。具体的には、ユーザが入力部６またはリモコン７０によりチャンネルを切り替える際に、切り替えられた所定のチャンネルのデコーダ接続設定がオン状態の場合には、切り替えられた所定のチャンネルに対応するテレビジョン放送信号がデコーダ３０に送信されて、デコーダ３０によってスクランブルが解除される。そして、スクランブルが解除されて視聴可能となったテレビジョン放送信号がＡＶスイッチ５を介して表示部４に伝達される。一方、切り替えられた所定のチャンネルのデコーダ接続設定がオフ状態の場合には、切り替えられた所定のチャンネルに対応するテレビジョン放送信号が、デコーダ３０に送信されることなく、そのままＡＶスイッチ５を介して表示部４に伝達される。
【００３０】
また、チャンネルリストデータのデコーダ接続設定は、オートプリセット機能によるチャンネル設定時に行われるほか、ユーザが任意に変更することも可能なように構成されている。ユーザが任意に変更する場合には、図４に示すように、ユーザが、表示部４に表示される設定画面４ａから、チャンネル設定のチャンネルリスト編集項目を選択することによって、チャンネルリスト記憶領域８ａに記憶されたチャンネルリストデータのデコーダ接続設定を変更することが可能である。
【００３１】
図５は、図１に示した本発明の第１実施形態によるテレビジョン装置のオートプリセット時の動作を説明するためのフロー図である。次に、図２および図５を参照して、本発明の第１実施形態によるテレビジョン装置１のオートプリセット動作について説明する。
【００３２】
まず、ステップＳ１において、チューナユニット９により周波数を順次上げながらチューニングが行われ、ステップＳ２において、チューニングされた周波数が所定の上限周波数に達したか否かが判断される。所定の上限周波数に達した場合には、そのまま動作が終了され、所定の上限周波数に達していない場合には、ステップＳ３に移行される。ステップＳ３では、チューニングされた周波数のテレビジョン放送信号に映像／音声信号が含まれているか否かが判断され、含まれていない場合には、ステップＳ１に移行されて再度チューニングが行われる。一方、映像／音声信号が含まれている場合には、ステップＳ４において、チャンネル設定が行われ、ステップＳ５において、接続部１０が受信するデコーダ３０の動作状態を表す信号がＬ信号か否かが判断される。ここでは、テレビジョン放送信号が接続部１０から送信される前であるので、デコーダ３０は動作しておらず、接続部１０が受信するデコーダ３０の動作状態を表す信号はＬ信号のはずである。したがって、ここでの判断は、接続状態などに異常がないかどうかの確認のために、念のために行うものである。接続部１０が受信する信号がＬ信号である場合には、ステップＳ６において、接続部１０からデコーダ３０にチューナユニット９によりチューニングされたテレビジョン放送信号の送信が開始される。一方、接続部１０が受信する信号がＬ信号でない場合には、ステップＳ１に移行される。そして、ステップＳ７において、接続部１０からデコーダ３０に送信されたテレビジョン放送信号に対するデコーダ３０の動作状態が、Ｈ信号およびＬ信号に基づいて判断される。デコーダ３０がスクランブル解除動作を行っている場合の動作状態を表すＨ信号が接続部１０により受信された場合には、ステップＳ８において、チャンネルリスト記憶領域８ａのチャンネルリストデータのデコーダ接続設定がオン状態に設定される。そして、ステップＳ９において、デコーダ３０へのテレビジョン放送信号の送信が終了され、ステップＳ１に移行される。また、デコーダ３０がスクランブル解除動作を行っていない場合の動作状態を表すＬ信号が接続部１０により受信された場合には、ステップＳ１０において、デコーダ接続設定がオン状態にされることなく、デコーダ３０へのテレビジョン放送信号の送信が終了され、ステップＳ１に移行される。
【００３３】
このように、第１実施形態では、オートプリセット時に、チューニングされた所定のチャンネル毎にデコーダ３０へのテレビジョン放送信号の送信の開始および送信の終了が行われるので、スクランブル処理された所定のチャンネルに対応するテレビジョン放送信号が送信された場合にも、スクランブルが解除された映像が表示部４に一時的に表示された後、すぐに表示が終了される。これにより、スクランブル処理された所定のチャンネルに対応するテレビジョン放送信号に基づく映像を表示部４に極力表示させないようにオートプリセットを行うことが可能である。
【００３４】
上記第１実施形態では、上記のように、チューナユニット９が周波数を順次変更させながらチューニングを行うことによって、所定の周波数に対応するチャンネルが順次設定されるチャンネル設定時において、チューナユニット９がスクランブル処理された所定のチャンネルに対応するテレビジョン放送信号を受信した場合に、スクランブル処理された所定のチャンネルに対応するテレビジョン放送信号に対するデコーダ３０の動作状態に基づいて、スクランブル処理された所定のチャンネルに対応するテレビジョン放送信号をデコーダ３０によって視聴可能とするか否かを設定する制御部７を設けることによって、ユーザが自ら設定を行うことなく、スクランブル処理された所定のチャンネルに対応するテレビジョン放送信号をデコーダ３０により視聴可能とするか否かが制御部７によって設定されるので、スクランブルを解除するために、ユーザに負担がかからない。また、スクランブル処理された所定のチャンネルに対応するテレビジョン放送信号をデコーダ３０によって視聴可能とするか否かを、購入後最初に使用する場合などに行われるオートプリセット機能によるチャンネル設定と合わせて設定することができるので、それ以降、制御部７がデコーダ３０によって視聴可能とするか否かを判断する必要がない。このため、ユーザによってチャンネルが切り替えられる際に、受信されたテレビジョン放送信号をデコーダ３０により視聴可能とするか否かを制御部７が判断する場合に比べて、制御部７による判断のための時間を要しないので、チャンネルの切り替え動作にかかる時間を短くすることができる。その結果、このテレビジョン装置１では、スクランブルを解除するために、ユーザに極力負担をかけず、かつ、ユーザによってチャンネルが切り替えられる場合に、極力時間を要さずにチャンネルの切り替え動作を行うことができる。
【００３５】
また、上記第１実施形態では、接続部１０を、スクランブル処理された所定のチャンネルに対応するテレビジョン放送信号のうち、デコーダ３０によって視聴可能とすることができるテレビジョン放送信号に対するデコーダ３０の動作状態を表すＨ信号と、デコーダ３０によって視聴可能とすることができないテレビジョン放送信号に対するデコーダ３０の動作状態を表すＬ信号とを受信することが可能なように構成し、制御部７を、チューナユニット９がスクランブル処理された所定のチャンネルに対応するテレビジョン放送信号を受信した場合に、接続部１０が受信するＨ信号およびＬ信号に基づいて、スクランブル処理された所定のチャンネルに対応するテレビジョン放送信号をデコーダ３０によって視聴可能とするか否かを設定するように構成することによって、制御部７は、接続部１０が受信するＨ信号およびＬ信号の２つの信号を判別するだけで、容易に、スクランブル処理された所定のチャンネルに対応するテレビジョン放送信号に対するデコーダ３０の動作状態を判断することができる。
【００３６】
また、上記第１実施形態では、制御部７を、チューナユニット９がスクランブル処理された所定のチャンネルに対応するテレビジョン放送信号を受信した場合に、スクランブル処理された所定のチャンネルに対応するテレビジョン放送信号に対するデコーダ３０の動作状態に基づいて、スクランブル処理された所定のチャンネルに対応するテレビジョン放送信号をデコーダ３０によって視聴可能とするか否かをチャンネルリストデータのデコーダ接続設定として設定するとともに、チャンネルリストデータのデコーダ接続設定に基づいて、デコーダ３０によって視聴可能とするように設定されたテレビジョン放送信号をデコーダ３０に送信し、デコーダ３０によって視聴可能としないように設定されたテレビジョン放送信号をデコーダ３０に送信しないように構成することによって、デコーダ３０により視聴可能とするように設定されたテレビジョン放送信号のみが制御部７によってデコーダ３０に送信されるので、ユーザがデコーダ３０に送信するか否かを選択する必要がなく、その結果、ユーザの負担を小さくすることができる。
【００３７】
（第２実施形態）
図６は、図１に示した本発明の第２実施形態によるテレビジョン装置のオートプリセット時の動作を説明するためのフロー図である。第２実施形態では、上記第１実施形態と異なり、オートプリセット時に、チューニングされた所定のチャンネル毎に、デコーダ３０へのテレビジョン放送信号の送信の開始、および、送信の終了を行わずに、オートプリセットの開始直後から終了直前まで継続的に、チューナユニット９が受信するテレビジョン放送信号をデコーダ３０に送信するように構成した例を説明する。まず、図２および図６を参照して、本発明の第２実施形態によるテレビジョン装置１のオートプリセット動作について説明する。なお、第２実施形態によるテレビジョン装置１の構成は、オートプリセット時の動作が異なる点以外は上記第１実施形態によるテレビジョン装置１の構成と同様であるので、説明を省略する。
【００３８】
第２実施形態では、まず、ステップＳ２１において、チューナユニット９により受信されたテレビジョン放送信号が接続部１０からデコーダ３０への送信が開始される。そして、ステップＳ２２において、チューナユニット９により周波数を順次上げながらチューニングが行われ、ステップＳ２３において、チューニングされた周波数が所定の上限周波数に達したか否かが判断される。所定の上限周波数に達した場合には、ステップＳ２８において、デコーダ３０へのテレビジョン放送信号の送信が終了され、動作が終了される。所定の上限周波数に達していない場合には、ステップＳ２４において、チューニングされた周波数のテレビジョン放送信号に映像／音声信号が含まれているか否かが判断され、含まれていない場合には、ステップＳ２２に移行されて再度チューニングが行われる。一方、映像／音声信号が含まれている場合には、ステップＳ２５において、チャンネル設定が行われ、ステップＳ２６において、接続部１０からデコーダ３０に送信されたテレビジョン放送信号に対するデコーダ３０の動作状態が、Ｈ信号およびＬ信号に基づいて判断される。接続部１０によりＨ信号が受信された場合には、ステップＳ２７において、チャンネルリストデータのデコーダ接続設定がオン状態に設定され、ステップＳ２２に移行される。接続部１０がＬ信号を受信した場合には、デコーダ接続設定がオン状態にされることなく、ステップＳ２２に移行される。
【００３９】
このように、第２実施形態では、オートプリセット時に、チューニングされた所定のチャンネル毎にデコーダ３０へのテレビジョン放送信号の送信の開始および送信の終了を行わずに、オートプリセット中は継続的にテレビジョン放送信号をデコーダ３０に送信することによって、上記第１実施形態に比べて、オートプリセット時の動作を簡素化することが可能である。
【００４０】
なお、第２実施形態のその他の効果は、上記第１実施形態と同様である。
【００４１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４２】
たとえば、上記実施形態では、受信装置の一例としてのテレビジョン装置に本発明を適用した例を示したが、本発明はこれに限らず、視聴制限された所定のチャンネルに対応するテレビジョン放送信号を受信することが可能な受信装置であれば、テレビジョン装置以外の他の受信装置にも適用可能である。
【００４３】
また、上記実施形態では、受信装置の一例として、アナログ放送に対応したテレビジョン装置を示したが、本発明はこれに限らず、デジタル放送に対応したテレビジョン装置、および、アナログ放送とデジタル放送との両方に対応したテレビジョン装置に本発明を適用してもよい。
【００４４】
また、上記実施形態では、ケーブルの一例としてＳＣＡＲＴケーブルを示したが、本発明はこれに限らず、視聴制限解除装置の動作状態を知らせることが可能なケーブルであれば、他のケーブルを用いてもよい。
【００４５】
また、上記実施形態では、オートプリセットによるチャンネル設定時に、デコーダ接続設定が行われる構成を示したが、本発明はこれに限らず、たとえば、ユーザが所定のチャンネルについてのみチャンネル設定を行う場合にも、デコーダ接続設定が行われる構成にしてもよい。
【００４６】
また、上記実施形態では、オートプリセットによるチャンネル設定時に、周波数を順次上げながらチューニングを行う構成を示したが、本発明はこれに限らず、順次変更させながらチューニングを行う構成であれば、周波数を順次下げながらチューニングを行ってもよいし、順次所定の周波数に変更しながらチューニングを行う構成にしてもよい。
【図面の簡単な説明】
【００４７】
【図１】本発明の第１および第２実施形態によるテレビジョン装置の構成を説明するための全体構成図である。
【図２】図１に示したテレビジョン装置の構成を説明するためのブロック図である。
【図３】図１に示したテレビジョン装置のチャンネルリストデータの一例を示した図である。
【図４】図１に示したテレビジョン装置の設定画面を示した図である。
【図５】図１に示した本発明の第１実施形態によるテレビジョン装置のオートプリセット時の動作を説明するためのフロー図である。
【図６】図１に示した本発明の第２実施形態によるテレビジョン装置のオートプリセット時の動作を説明するためのフロー図である。
【符号の説明】
【００４８】
１    テレビジョン装置（受信装置）
７    制御部
９    チューナユニット（受信部）
１０  接続部
３０  デコーダ（視聴制限解除装置）
【図１】
2009049767.tif 000003
【図２】
2009049767.tif 000004
【図３】
2009049767.tif 000005
【図４】
2009049767.tif 000006
【図５】
2009049767.tif 000007
【図６】
2009049767.tif 000008